(57)【要約】【課題】頭皮へ適度の刺激を与えることで頭皮の洗浄効果を高めると共に、発毛（育毛）促進効果や脱毛防止効果のあるシャワーヘッドを提供する。また、耐久性があって、かつ構造が簡略化された、マッサージ効果が高い頭皮マッサージ用シャワーヘッドを提供する。【解決手段】頭部を叩いた際に頭部に接触する接触部２ａ及び接触しない非接触部２ｂを有するヘッド本体２と、ヘッド本体２に設けられたシャワー排出口３と、ヘッド本体２が直接的又は間接的に取り付けられたシャワーヘッド先端部５と、グリップ部６と、及び接続ネジ部７とを備えた頭皮マッサージ用シャワーヘッドであって、接触部２ａは、複数のシャワー排出口３を有し、表面潤滑性、耐熱性、及び弾力性のある合成樹脂で形成されたものである頭皮マッサージ用シャワーヘッド１。【選択図】      図１
2004350941.tif 000002
【特許請求の範囲】
【請求項１】
頭部を叩いた際に頭部に接触する接触部及び接触しない非接触部を有するヘッド本体と、前記ヘッド本体に設けられたシャワー排出口と、前記ヘッド本体が直接的又は間接的に取り付けられたシャワーヘッド先端部と、グリップ部と、及び接続部とを備えた頭皮マッサージ用シャワーヘッドであって、
前記接触部は、複数の前記シャワー排出口を有し、表面潤滑性、耐熱性、及び弾力性のある合成樹脂で形成されたものであることを特徴とする頭皮マッサージ用シャワーヘッド。
【請求項２】
前記接触部は、半球状又はドーム状の形状であることを特徴とする請求項１に記載の頭皮マッサージ用シャワーヘッド。
【請求項３】
前記接触部は、３〜９つ設けられ、前記ヘッド本体の表面の総面積の３０〜９０％を占めていることを特徴とする請求項１又は請求項２に記載の頭皮マッサージ用シャワーヘッド。
【請求項４】
前記合成樹脂は、フッ素樹脂であることを特徴とする請求項１乃至請求項３のいずれか１項に記載の頭皮マッサージ用シャワーヘッド。
【請求項５】
前記接触部は、横幅（直径）が１ｃｍ以上であり、高さが０．５〜１．５ｃｍ程度であることを特徴とする請求項１乃至請求項４のいずれか１項に記載の頭皮マッサージ用シャワーヘッド。
【請求項６】
シャワーヘッド先端部に直接的又は間接的に取り付けられるヘッド本体において、
前記ヘッド本体は、頭部を叩いた際に頭部に接触する接触部及び接触しない非接触部を有し、かつシャワー排出口を有しており、前記接触部は、複数の前記シャワー排出口を有し、表面潤滑性、耐熱性、及び弾力性のある合成樹脂で形成されるものであることを特徴とするシャワーヘッド用ヘッド本体。
【発明の詳細な説明】
【０００１】
【発明の属する技術分野】
本発明は、頭皮マッサージ用シャワーヘッドに関し、特に、毛根の洗浄効果が高く、頭髪の発毛を促し、脱毛予防が可能な頭皮マッサージ用シャワーヘッドに関する。
【０００２】
【従来の技術】
従来のシャワーヘッドとして、頭皮のマッサージや洗浄効果の向上を目的に散水部に突起物を設けたシャワーヘッドがある（特許文献１乃至特許文献４参照）。
これらのシャワーヘッドは、シャワーヘッドの散水部にピン状の突起物を多数設けることにより、櫛の用途を併せ持たせ、頭髪をとかしながら洗浄可能とすることで洗浄効果を高め、またピン状突起物の尖端で頭皮に刺激を与えることで、マッサージ効果も得ることが可能なものである、として記載されている。
【０００３】
【特許文献１】
特開平９−３２２９２６号公報
【特許文献２】
特開平９−１２２１９２号公報
【特許文献３】
登録実用新案第３０２３６１０号公報
【特許文献４】
登録実用新案第３０９０１９４号公報
【０００４】
【発明が解決しようとする課題】
しかし、上記の特許文献１乃至４に示されているような従来のシャワーヘッドの場合、ピン状の突起を設けるものであったため、頭皮への刺激が強すぎて頭皮や毛根を損傷し、抜け毛を誘発・促進する恐れがあり、マッサージ効果や育毛促進や脱毛防止の効果の点で十分といえるものではなかった。また、ピン状の突起物であることから、破損しやすく、耐久性に問題がある。さらに、突起物に散水口のない特許文献１乃至３のシャワーヘッドでは、散水口が少なくなるため、通常のシャワーヘッドとしての機能低下（洗浄力の低下等）の問題がある。突起物に散水口を有する特許文献４のシャワーヘッドにおいては、突起物を二重構造としているため、構造が複雑となり、製造コストが高くなる。
【０００５】
従って、本発明の目的は、頭皮へ適度の刺激を与えることで頭皮の洗浄効果を高めると共に、発毛（育毛）促進効果や脱毛防止効果のあるシャワーヘッドを提供することにある。
また、本発明の別の目的は、耐久性があって、かつ構造が簡略化された、マッサージ効果が高い頭皮マッサージ用シャワーヘッドを提供することにある。
【０００６】
【課題を解決するための手段】
本発明は、上記目的を達成するため、頭部を叩いた際に頭部に接触する接触部及び接触しない非接触部を有するヘッド本体と、前記ヘッド本体に設けられたシャワー排出口と、前記ヘッド本体が直接的又は間接的に取り付けられたシャワーヘッド先端部と、グリップ部と、及び接続部とを備えた頭皮マッサージ用シャワーヘッドであって、
前記接触部は、複数の前記シャワー排出口を有し、表面潤滑性、耐熱性、及び弾力性のある合成樹脂で形成されたものであることを特徴とする頭皮マッサージ用シャワーヘッドを提供する。
【０００７】
本発明によれば、シャワーヘッドのヘッド本体に頭部を叩くことができる構造とした接触部を有しているため、シャワーしながら頭皮をヘッド本体で軽く叩くことで、マッサージ効果があると共に、毛根に詰まった老廃物を排出しやすくし、洗浄効果が高くなるため、毛根の新陳代謝を促し、発毛（育毛）効果や脱毛防止効果が得られる。
【０００８】
また、本発明は、上記目的を達成するため、シャワーヘッド先端部に直接的又は間接的に取り付けられるヘッド本体において、
前記ヘッド本体は、頭部を叩いた際に頭部に接触する接触部及び接触しない非接触部を有し、かつシャワー排出口を有しており、前記接触部は、複数の前記シャワー排出口を有し、表面潤滑性、耐熱性、及び弾力性のある合成樹脂で形成されるものであることを特徴とするシャワーヘッド用ヘッド本体を提供するものである。
【０００９】
本発明によれば、接触部に複数のシャワー排出口を有する表面潤滑性、耐熱性、及び弾力性のある合成樹脂を使用しているため、耐久性があって、かつ構造が簡略化された、マッサージ効果が高い頭皮マッサージ用シャワーヘッド（ヘッド本体）の提供が可能となる。
【００１０】
【発明の実施の形態】
以下、本発明の実施の形態を図面に基づいて説明する。
図１は本発明に係る頭皮マッサージ用シャワーヘッドの第１の実施の形態を斜視図として示している。また、図２ａは図１におけるヘッド本体２の部分についての２Ａ−２Ａ断面図であり、図２ｂは図１におけるヘッド本体固定部４の部分についての２Ｂ−２Ｂ断面図である。
頭皮マッサージ用シャワーヘッド１は、ヘッド本体２、接触部２ａ、非接触部２ｂ、シャワー排出口３、ヘッド本体固定部４、シャワーヘッド先端部５，グリップ部６、及び接続ネジ部７の構成からなる。
【００１１】
ヘッド本体２はシャワー排出口３を有しており、接触部２ａと、非接触部２ｂにより構成されている。接触部２ａは頭部と接触しやすいように非接触部２ｂに比べ、盛り上がっている。接触部２ａは図１や図２に示されるように半球状（又はドーム状）の形態であり、ヘッド本体２表面に５つ設けられている。本実施例においては、５つとしたが、究極的には、図３ａのようにヘッド本体２のほぼ全面に１つの半球状（又はドーム状）の接触部２ａが設けられていてもよいが、頭部への接触点を増やし、効果を高める観点などから、半球状（又はドーム状）の接触部２ａは３〜９つであることが好ましく、４〜７つであることがより好ましい。球の直径の長さによっても適宜、好ましい数に調整される。配列は特に問わないが、中央部に１つ設けて、その周囲に残りの接触部を設けることが好ましい形態として挙げられる。
【００１２】
また、接触部２ａの下底の総面積がヘッド本体２の表面の総面積のおよそ３０〜９０％を占めるようになっていることが好ましく、４０〜８０％であることがさらに好ましい。すなわち、接触部２ａ：非接触部２ｂ＝９：１〜３：７の面積比であることが好ましく、接触部２ａ：非接触部２ｂ＝８：２〜４：６の面積比であることがさらに好ましい。
【００１３】
また、接触部２ａの形状は、半球状（又はドーム状）に限られるものではなく、円柱状や角柱状なども採用することができ、堅すぎない材質であれば山形（三角錐）の形状であってもよい。但し、細いピン状であることは、安全面、効果面、耐久面から好ましくない。接触部２ａの全体又は先端部が半球状（又はドーム状）であることが安全面等の観点から好ましい。接触部２ａの１つについて見ると、横幅（直径）Ｗは１ｃｍ以上であることが好ましく、１．５ｃｍ以上であることがより好ましい。また、高さＨは０．５〜１．５ｃｍ程度であることが好ましい。各々の接触部２ａについて、横幅（直径）Ｗを揃える必要性は特にないが、高さＨは頭部を叩いた際にすべての接触部２ａが接触できるように調節されていることが好ましい。かかる観点からは、図３ｂに示すように、ヘッド本体２中央部辺りの接触部２ａは高さＨを縁部周辺の接触部２ａよりも若干低めとして横幅（直径）Ｗを長めにすることが好ましい。
【００１４】
接触部２ａにも複数のシャワー排出口３が設けられているため、本発明の効果であるマッサージ効果、頭皮洗浄効果、発毛効果、抜け毛予防効果がより高まっている。また、排出口が少なくなることがないので、通常のシャワーとしても何ら不都合なく機能する。
【００１５】
ヘッド本体２は頭部を直接に適度な力で刺激を加える部分であるため、頭部に外傷を与えるほど堅い材質であってはならない。表面潤滑性の高い、耐熱性のある合成樹脂で形成されることが好ましく、特にフッ素樹脂、中でもポリテトラフルオロエチレン（四フッ化エチレン樹脂、登録商標「テフロン」）であることが、耐熱性、耐水性、安全性等の観点から望ましいが、これに限られるものではない。さらに、叩いて使用するため弾力性があることが好ましい。
【００１６】
ヘッド本体２は、ヘッド本体固定部４から取り外しが可能なように取り付けられても良いし、取り外しができないように固定されていてもよいが、ヘッド本体２が摩耗した場合の交換や種々の形態のヘッド本体への交換が可能な観点から取り外しが可能なように取り付けられていることが好ましい。本実施の形態においては、ヘッド本体２はヘッド本体固定部４により固定されているが、ヘッド本体２の中央部に穴を設けネジを差し込み、シャワーヘッド先端部５の内側に設けられたネジ嵌合凹部に嵌めても良い。その他種々の固定方法が考えられるが、水圧や頭部を叩いた衝撃によって簡単に外れないようなっていれば、固定手段や固定方法は問わない。
【００１７】
非接触部２ｂにも適当な数のシャワー排出口３が設けられており、体の洗浄のための通常のシャワー使用にも差し障りなく用いることができる。また、非接触部２ｂに毛髪等が溜まることがない。なお、ヘッド本体２のほぼ全面に接触部２ａが設けられている場合には、非接触部２ｂにシャワー排出口３を設けなくてもよい。
【００１８】
ヘッド本体固定部４は、図２ｂで示されるように、ヘッド本体２を固定できるような凸部４１を有しており、ヘッド本体２がそこへ嵌め込まれるようになっている。また、ネジ部４２によりシャワーヘッド先端部５に接合される。ヘッド本体固定部４の形状や材質等は、シャワーヘッド先端部５にしっかりと固定され、ヘッド本体２をしっかりと固定でき、防錆性のものであればよく、スチール製であることが好ましい。ヘッド本体２がしっかり固定できれば、特に、ヘッド本体固定部４を別体として設けず、シャワーヘッド先端部５と一体としてもよい。
【００１９】
シャワーヘッド先端部５の反対側にも別のヘッド本体固定部を設けて、異なる形状のヘッド本体を取り付けられるようにしてもよい。これにより、ヘッド本体交換の手間をかけることなく、異なる形状のヘッド本体によって２通りのマッサージ効果を得ることが出来る。但し、この場合には、一方使用時にもう一方は止水できる手段が必要となる。
【００２０】
グリップ部６の材質は、硬質の樹脂であれば特に限定されるものではなく、耐熱性、耐水性等を備えたシャワーのグリップ部に一般的に用いられる材質を使用できる。
【００２１】
接続ネジ部７は、ホース等の端部にねじ込まれる形態となっているが、水が漏れないよう液密に接合できる形態となっていれば、ネジでなくてもよく、形状等は特に限られない。
【００２２】
次に、本発明の頭皮マッサージ用シャワーヘッドの使用方法について説明する。本発明のシャワーヘッドは、上記の目的を達成するために、シャワーの散水部から流水しながら、頭部をヘッド本体部分（接触部）で数回〜数十回軽く叩いて使用する。あるいは、流水前に軽く叩いてから、上記のように使用しても良い。
【００２３】
【発明の効果】
本発明は以上説明したように構成され、シャワーヘッドのヘッド本体に頭部を叩くことができる構造とした接触部を有しているため、シャワーしながら頭皮をヘッド本体で軽く叩くことで、マッサージ効果があると共に、毛根に詰まった老廃物を排出しやすくし、洗浄効果が高くなるため、毛根の新陳代謝を促し、発毛（育毛）効果や脱毛防止効果が得られる。
また、接触部に複数のシャワー排出口を有する表面潤滑性、耐熱性、及び弾力性のある合成樹脂を使用しているため、耐久性があって、かつ構造が簡略化された、マッサージ効果が高い頭皮マッサージ用シャワーヘッドを提供できる。
【図面の簡単な説明】
【図１】図１は本発明に係る頭皮マッサージ用シャワーヘッドの第１の実施の形態の斜視図である。
【図２】図２ａは図１におけるヘッド本体２の部分についての２Ａ−２Ａ断面図である。図２ｂは図１におけるヘッド本体固定部４の部分についての２Ｂ−２Ｂ断面図である。
【図３】図３ａ及び図３ｂは本発明の他の実施の形態にかかるヘッド本体２の部分についての断面図（図２ａに相当）である。
【符号の説明】
１：頭皮マッサージ用シャワーヘッド    ２：ヘッド本体
２ａ：接触部    ２ｂ：非接触部    ３：シャワー排出口
４：ヘッド本体固定部    ４１：凸部    ４２：ネジ部
５：シャワーヘッド先端部    ６：グリップ部    ７：接続ネジ部
【図１】
2004350941.tif 000003
【図２】
2004350941.tif 000004
【図３】
2004350941.tif 000005